(57)【要約】【課題】  ＡＶデータについての多様な検索キーワードを利用した拡張検索機能を提供するメタデータを記録した記録媒体とその再生装置、再生方法、またその記録媒体の提供。また、多様な形式のＡＶデータと連動して円滑に拡張検索機能を提供する。【解決手段】  情報記録媒体に保存されたＡＶデータを再生する再生装置において、前記情報記録媒体から、ＡＶデータと、少なくとも一つの検索キーワード情報を使用してシーン別に前記ＡＶデータのタイトルシーン検索を行うためのメタデータを読み出す読出部と、前記メタデータを利用して前記ＡＶデータを再生する再生部と、を含み、前記タイトルシーン検索は、前記ＡＶデータを主再生経路に沿って再生する場合に実行可能であり、前記ＡＶデータを副再生経路に沿って再生する場合は実行不可能である。【選択図】      図１５
2010003405.tif 000002
【特許請求の範囲】
【請求項１】
情報記録媒体に保存されたＡＶデータを再生する再生装置において、
前記情報記録媒体から、ＡＶデータと、少なくとも一つの検索キーワード情報を使用してシーン別に前記ＡＶデータのタイトルシーン検索を行うためのメタデータを読み出す読出部と、
前記メタデータを利用して前記ＡＶデータを再生する再生部と、を含み、
前記タイトルシーン検索は、前記ＡＶデータを主再生経路(main playback path)に沿って再生する場合に実行可能であり、前記ＡＶデータを副再生経路(side playback path)に沿って再生する場合は実行不可能であることを特徴とする再生装置。
【請求項２】
情報記録媒体に保存されたＡＶデータを再生する方法において、
前記情報記録媒体から、ＡＶデータと、少なくとも一つの検索キーワード情報を使用してシーン別に前記ＡＶデータのタイトルシーン検索を行うためのメタデータを読み出すステップと、
前記メタデータを使用してＡＶデータを再生するステップと、を含み、
前記タイトルシーン検索は、前記ＡＶデータを主再生経路に沿って再生する場合に実行可能であり、前記ＡＶデータを副再生経路に沿って再生する場合は実行不可能であることを特徴とする再生方法。
【請求項３】
記録されたＡＶデータのデータ構造を管理するための情報記録媒体において、
ＡＶデータの記録単位である一つ以上のクリップと、
ＡＶデータの再生単位である一つ以上のプレイリストと、 
前記ＡＶデータについてのタイトルシーン検索機能を提供するために前記各プレイリストに対して生成されるメタデータと、を含み、
前記各クリップは、前記ＡＶデータのためのクリップＡＶストリームと前記ＡＶデータに対応する属性のためのクリップ情報を含む一つのオブジェクトで具現され、前記各プレイリストはクリップの再生間隔に対応するプレイアイテムのセットを含み、
前記メタデータは、シーン単位で定義され、各シーンに対して適用される少なくとも一つの検索キーワードに関する情報を含み、前記タイトルシーン検索は、前記ＡＶデータを主再生経路に沿って再生する場合に実行可能であり、前記ＡＶデータを副再生経路に沿って再生する場合は実行不可能であることを特徴とする情報記録媒体。
【発明の詳細な説明】
【技術分野】
【０００１】
本発明は、記録媒体に記録されたＡＶデータの再生に係り、具体的には、ＡＶデータに対する拡張検索機能を提供するメタデータを含む記録媒体を再生する再生装置及び再生方法に関する。
【背景技術】
【０００２】
ブルーレイディスク（ＢＤ：Ｂｌｕ−ｒａｙ  Ｄｉｓｃ）のような記録媒体には、ＭＰＥＧ（Ｍｏｔｉｏｎ  Ｐｉｃｔｕｒｅ  Ｅｘｐｅｒｔｓ  Ｇｒｏｕｐ）の標準によって圧縮符号化されたビデオ及びオーディオ、またはサブタイトルを含むＡＶ（Ａｕｄｉｏ−Ｖｉｓｕａｌ）データが記録されている。また、ＡＶデータの符号化属性またはＡＶデータの再生順序などの付加情報がさらに記録されている。記録媒体に記録された動画は、前述した再生順序によって順次に再生されることが一般的であり、時には、ＡＶデータの再生中にチャプター単位でジャンプして再生される場合がある。
【０００３】
図１は、従来のＡＶデータの構造を示す参考図である。図１に示したように、図２に示した媒体２１０のような記録媒体は、一般的に記録されたＡＶデータの構造を管理するために複数の記録層で形成される。データ構造１００は、マルチメディアイメージ（ＡＶデータ）の記録単位である一つ以上のクリップ１１、マルチメディアイメージ（ＡＶデータ）の再生単位である一つ以上のプレイリスト１２０、マルチメディアイメージ（ＡＶデータ）を再生するために利用されるナビゲーションコマンドを含むムービーオブジェクト１３０、初めて再生されるムービーオブジェクト及びムービーオブジェクト１３０のタイトル指定に利用されるインデックステーブル１４０を含む。
【０００４】
クリップ１１０は、高品質ムービーのためのＡＶデータストリーム１１２及び前記ＡＶデータストリームに対応する属性のためのクリップ情報１１４を含む一つのオブジェクトとして具現される。例えば、ＡＶデータストリームは、ＭＰＥＧのような標準によって圧縮される。しかし、そのようなクリップ１１０は、本発明の全ての側面でＡＶデータストリーム１１２の圧縮を要求することではない。また、クリップ情報１１４は、ＡＶデータストリーム１１２のオーディオ／ビデオ属性、任意的にアクセス可能なエントリーポイントの位置についての情報が所定のセクション単位で記録されるエントリーポイントマップをさらに含みうる。
【０００５】
プレイリスト１２０には、プレイリスト１２０に対応するクリップ１１０の特定位置を指示するマークの集合であるプレイリストマークが定義されてチャプター単位でジャンプして再生しうる。
【０００６】
ムービーオブジェクト１３０は、ナビゲーションコマンドプログラムで形成され、このようなナビゲーションコマンドは、プレイリスト１２０の再生を開始し、ムービーオブジェクト１３０の間を変換するか、またはユーザの選好によってプレイリスト１２０の再生を管理する。
【０００７】
インデックステーブル１４０は、複数のタイトルまたはメニューを定義するために記録媒体の最上位層にあるテーブルであって、タイトル検索またはメニュー呼び出しのようなユーザオペレーションによって選択されたタイトルまたはメニューが再生されるように全てのメニュー及びタイトルの開始位置情報を含む。インデックステーブル１４０はまた、記録媒体が再生装置に置かれる時に初めて自動的に再生されるタイトルまたはメニューの開始位置情報も含む。
【０００８】
しかし、従来の記録媒体については、ユーザが所望する検索基準、例えば、シーン、キャラクター、ロケーション、サウンドまたはアイテムによって、任意のシーンにジャンプして再生する方法は提供されない。すなわち、シーン、キャラクター、ロケーション、サウンド、またはアイテムなどのユーザが所望する検索基準によって、ＡＶデータの任意の位置に移動して再生する機能は提供されなくて多様な検索が難しいという問題点があった。
【０００９】
また、従来の記録媒体では、動画情報をＭＰＥＧ−２標準によって圧縮符号化して多重化するため、動画の検索機能を提供するためのメタデータを含むように記録媒体を製作することが難しいだけでなく、一度製作された記録媒体は、ＡＶデータまたはメタデータを編集するか、または再び使用することがほとんど不可能であるという問題点があった。
【００１０】
一方、図１に示したように、現在定義されているプレイリストマークは、マルチアングルやマルチパスを区分できないので、マルチアングルやマルチパスを支援するＡＶデータの場合、円滑に拡張検索機能を提供できないという問題点があった。
【発明の概要】
【発明が解決しようとする課題】
【００１１】
前記問題点を解決するための本発明の技術的課題は、ＡＶデータについての多様な検索キーワードを利用した拡張検索機能を提供するメタデータを記録した記録媒体の再生装置及び再生方法、またその記録媒体を提供することである。
【００１２】
また、前記問題点を解決するための本発明の他の技術的課題は、多様な形式のＡＶデータと連動して円滑に拡張検索機能を提供するメタデータを記録した記録媒体の再生装置及び再生方法を提供することである。
【課題を解決するための手段】
【００１３】
本発明によって前述した技術的課題は、拡張検索機能によって前記ＡＶデータの各シーンごとに少なくとも一つの検索キーワード情報を含むメタデータを参照して、所定の検索キーワードと一致するシーンを検索する検索部と、前記検索されたシーンに対応するＡＶデータを再生する再生部と、を備えることを特徴とする再生装置によって達成される。
【００１４】
また、前記再生装置は、ユーザから所定の検索キーワードを入力され、前記特定の検索キーワードに対応するシーン検索結果をディスプレイするユーザインターフェースをさらに備える。
【００１５】
また、前記拡張検索機能は、ムービータイトルを再生する場合に活性化されることが望ましい。
【００１６】
また、前記拡張検索機能は、前記ＡＶデータを製作者が定義した主再生経路によって再生する場合にのみ活性化され、前記ＡＶデータをユーザの入力による副再生経路によって再生する場合には活性化されないことが望ましい。
【００１７】
また、前記再生部は、前記検索されたシーンが複数である場合、前記ユーザインターフェースを通じて前記検索結果をディスプレイし、ユーザから前記検索結果のうち再生を所望するシーンについての選択情報を入力されて、選択されたシーンに該当するＡＶデータを再生することが望ましい。
【００１８】
また、前記再生部は、ユーザの入力によって現在選択されたシーンの直前または直後のシーンに該当するＡＶデータを再生することが望ましい。
【００１９】
また、前記再生部は、前記検索されたシーンが複数である場合、検索された全てのシーンに該当するＡＶデータを順次に再生することが望ましい。
【００２０】
また、前記再生部は、前記ＡＶデータがマルチアングルを支援する場合、前記メタデータに含まれたアングルについての情報を利用して、検索されたシーンのうち、既定のアングルまたはユーザから入力されたアングルに該当するＡＶデータを再生することが望ましい。
【００２１】
また、前記検索部は、前記シーン別に定義され、各シーンごとに少なくとも一つの検索キーワード情報を含むメタデータを参照して、前記特定の検索キーワードと一致するシーンを検索することが望ましい。
【００２２】
また、前記再生部は、前記検索されたシーンの開始地点を表すエントリーポイントを利用して前記シーンの開始位置を探すことが望ましい。
【００２３】
また、前記シーン検索結果は、検索されたシーンを表すサムネイルイメージと共に表示されることが望ましい。
【００２４】
本発明によって前述した技術的課題は、特定の検索キーワードを利用して少なくとも一つのシーンで構成された前記ＡＶデータをシーン別に検索するステップと、前記検索されたシーンに対応するＡＶデータを再生するステップと、を含むことを特徴とする再生方法によっても達成される。
【発明の効果】
【００２５】
本発明によれば、ＡＶデータについての多様な検索キーワードを利用した拡張検索機能を提供するメタデータを記録した記録媒体とその再生装置、再生方法、またその記録媒体が提供される。また、多様な形式のＡＶデータと連動して円滑に拡張検索機能を提供しうる。
【００２６】
すなわち、拡張検索機能のためのメタデータは、製作者が任意に定義するシーン別に定義され、シーンごとに少なくとも一つの検索キーワード情報を含み、エントリーポイント及び／または再生持続期間、アングル情報を含むように定義することにより、多様な検索キーワードによる拡張検索機能を提供しうる。
【００２７】
また、検索結果を多様なシナリオで再生するように制御しうる。また、マルチアングルやマルチパスを支援するムービータイトルについても拡張検索機能を提供しうる。さらに、メタデータを言語別に生成して多国語を支援する拡張検索機能を提供しうる。
【図面の簡単な説明】
【００２８】
【図１】従来のＡＶデータの構造を示す参考図である。
【図２】本発明による拡張検索機能を提供するメタデータが記録された記録媒体を再生する装置の一例である。
【図３】本発明によるメタデータが記録された記録媒体を再生する方法を示すフローチャートである。
【図４】本発明によるメタデータの応用例である。
【図５】本発明によるメタデータとＡＶデータとの関係を示す参考図である。
【図６】本発明によるメタデータのディレクトリ構造を示す参考図である。
【図７】本発明によるメタデータファイルのネーミング規則を示す参考図である。
【図８】本発明によるメタデータの構造を示す図である。
【図９】本発明によるメタデータの詳細構造を示す図である。
【図１０】本発明による拡張検索機能を提供するタイトルの応用範囲を示す図である。
【図１１】本発明によるメタデータを応用した一実施形態を示す図である。
【図１２】本発明によるメタデータを応用した他の実施形態を示す図である。
【図１３】本発明によるメタデータを応用したハイライト再生の一実施形態を示す図である。
【図１４】本発明によるメタデータを応用してマルチアングルタイトルで拡張検索機能を提供する一例を示す参考図である。
【図１５】本発明による再生装置の再生状態図である。
【発明を実施するための形態】
【００２９】
以下、添付した図面を参照して本発明による望ましい実施形態を詳細に説明する。
【００３０】
図２は、本発明による拡張検索機能を提供するメタデータが記録された記録媒体を再生する装置の一例である。図２を参照するに、本発明による再生装置２００は、読み取り部２１０、再生部２２０、検索部２３０及びユーザインターフェース２４０を備える。
【００３１】
読み取り部２１０は、ブルーレイディスクのような記録媒体からＡＶデータと共に拡張検索機能を提供するためのメタデータを読み取る。再生部２２０は、ＡＶデータをデコーディングして再生する。特に、ユーザから検索を所望する検索キーワードを入力された場合、検索部２２０から該当検索キーワードに一致するＡＶデータの特定シーンについての情報を受けて、該当シーンのＡＶデータを再生する。検索キーワードに一致するシーンが複数である場合、これをユーザインターフェース２４０を通じてディスプレイし、ユーザから選択されたシーンを再生するか、または検索されたシーンを何れも連続して再生することもある。再生部を再生制御エンジンともいう。
【００３２】
一方、検索部２３０は、ユーザインターフェースから検索キーワードを入力されてこれと一致するシーンを検索し、検索結果をリスト状にディスプレイするようにユーザインターフェース２４０に伝達するか、または検索結果を再生するように再生部２２０に伝達する。図示したように、検索結果は、検索キーワードに一致するシーンのリストとして表現される。ユーザインターフェース２４０は、ユーザから検索キーワードを入力されるか、または検索結果をディスプレイし、ディスプレイされた検索結果のうち、ユーザが再生を所望するシーンについての選択情報を入力される。
【００３３】
図３は、本発明によるメタデータが記録された記録媒体を再生する方法を示すフローチャートである。図３を参照するに、ユーザインターフェース２４０を通じてユーザが検索しようとする検索キーワードを入力される（３１０）。検索キーワードは、シーンタイプ、キャラクター、アクターが含まれ、それ以外にアイテム、ロケーション、サウンドなど、製作者が定義する多様な検索キーワードが含まれる。例えば、マトリックス映画を再生する場合、キャラクター‘ネオ’が出演するシーンを何れも検索でき、またはアイテムとして携帯電話が登場するシーンを何れも検索することもできる。次には、本発明によるメタデータファイルを参照して入力された検索キーワードと一致するシーンを検索する（３２０）。メタデータファイルは、複数のシーンを定義しており、各シーンには、これに含まれる検索キーワード情報と各シーンのエントリーポイントとが定義される。メタデータファイルの具体的な構成は、後述する。次いで、検索されたシーンのエントリーポイントを利用して、該当シーンに対応するＡＶデータを探して再生する（３３０）。これにより、ＡＶデータについての多様な検索キーワードを利用した拡張検索機能を提供しうる。以下では、拡張検索機能を“タイトルシーン検索”と呼ぶ。
【００３４】
図４は、本発明によるメタデータの応用例である。
【００３５】
タイトルシーン検索のためのメタデータは、ブルーレイディスクのような記録媒体２５０に記録されたコンテンツのＡＶデータをシーン別に区分して、各シーンについての検索情報を記述する。図４を参照するに、メタデータを利用して所望のシーンを検索する応用例が示される。例えば、マトリックスやロード・オブ・ザ・リングなどのムービータイトルの再生（＃１）中に、ユーザは、リモートコントローラのようなユーザインターフェースを利用して所望の検索キーワードが含まれた特定シーンを検索するために、タイトルシーン検索機能を選択しうる。
【００３６】
ユーザがディスプレイされた検索キーワードのうち一つを選択し（＃２）、選択された検索キーワードに該当する値を選択（＃３）する。例えば、アイテムという検索キーワードを選択し、その値で‘搭’を選択した場合、再生中のムービータイトルのうち‘搭’というアイテムが出るシーンを検索し、その検索結果を該当シーンのサムネイルと共にディスプレイ（＃４）する。検索された各シーンは、再生される時間順に整列されて表示される。ユーザが検索されたシーンのうち再生を所望するシーンを選択すれば、該当シーンが再生され（＃５）、次の検索結果へ行くことや以前検索結果へ行くことなどのユーザインターフェースを利用して、検索結果のうち、以前または以後のシーンを再生しうる（＃６）。また、検索されたシーンを何れもつないで再生するハイライト再生も可能である。このようなハイライト再生によれば、ある検索された結果を再生するためのユーザの選択を待つ代わりに、全ての検索された結果の連続的な再生が可能である。ユーザがコンテンツ内で検索のためにキーワードを選択すれば、関連した検索結果が抽出されて連続的な検索結果で構成されたハイライトを形成する。
【００３７】
以下では、前述したタイトルシーン検索機能を具現するためのメタデータの構造を詳細に説明する。
【００３８】
図５は、本発明によるメタデータとＡＶデータとの関係を示す参考図である。図５を参照するに、本発明による記録媒体には、図１に示したＡＶデータ以外にタイトルシーン検索のためのメタデータ５００がさらに含まれる。図示したように、メタデータ５００は、ＡＶデータの再生単位であるプレイリストと別途のファイルで記録される。また、プレイリスト単位で一つのメタデータファイル５１０を構成する。メタデータファイル５１０には、製作者が該当プレイリストファイルに対して任意に定義した区間であるシーンが複数個含まれる。各シーン５１２には、シーンの開始地点を表すエントリーポイントが含まれ、具現例によって各シーンの再生持続期間がさらに含まれることもある。エントリーポイントは、クリップインフォメーション１１４に含まれたＥＰ（Ｅｎｔｒｙ  Ｐｏｉｎｔ）マップを利用して、クリップＡＶストリーム１１２の特定アドレスに変換される。したがって、エントリーポイントを利用して実際ＡＶデータであるクリップＡＶストリームにおける各シーンの開始位置が探せる。また、各シーンには、該当シーンに含まれた検索キーワード情報が含まれる。例えば、シーン１は、戦闘シーンであり、キャラクターは、Ａ、Ｂ、Ｃが出演し、アクターは、ａ、ｂ、ｃが登場し、背景は、ｘという検索キーワード情報が含まれる。これにより、各シーン別の検索キーワード情報を利用して、ユーザの所望する検索キーワードが含まれたシーンを検索しうる。また、検索されたシーンのエントリーポイント情報を利用して、実際ＡＶデータであるクリップＡＶストリームの該当位置を探して再生しうる。
【００３９】
図６は、本発明によるメタデータのディレクトリ構造を示す参考図である。図６を参照するに、図５に示したＡＶデータと関連したデータとして、インデックステーブルは、ｉｎｄｅｘ  ｂｄｍｖファイル、ムービーオブジェクトは、ＭｏｖｉｅＯｂｊｅｃｔ  ｂｄｍｖファイル、プレイリストは、ＰＬＡＹＬＩＳＴディレクトリ内のｘｘｘｘｘ  ｍｐｌｓファイル、クリップインフォメーションは、ＣＬＩＰＩＮＦディレクトリ内のｘｘｘｘｘ  ｃｌｐｉファイル、クリップＡＶストリームは、ＳＴＲＥＡＭディレクトリ内のｘｘｘｘｘ  ｍ２ｔｓファイル、その他のデータは、ＡＵＸＤＡＴＡディレクトリ内にファイルとして記録される。
【００４０】
一方、本発明によるタイトルシーン検索のためのメタデータ５００は、ＡＶデータとは別途のＭＥＴＡディレクトリ内にファイルとして記録される。ｄｌｍｔ＿ｘｘｘ  ｘｍｌは、ディスクライブラリー機能のためのメタデータファイルであり、本発明によるタイトルシーン検索のためのメタデータファイルは、ｅｓｍｔ＿ｘｘｘ＿ｙｙｙｙｙ  ｘｍｌである。本発明によるメタデータは、編集及び再使用の容易なマークアップ言語を使用してＸＭＬ形式のファイルとして記録される。これは、一度製作されれば、データを編集するか、または再び使用することがほとんど不可能な従来の記録媒体の問題点を解決するためである。
【００４１】
さらに具体的に、図７は、本発明によるメタデータファイルのネーミング規則を示す参考図である。図７を参照するに、メタデータファイル５１０の名称は、メタデータであることを表すためにｅｓｍｔ＿というプレフィックスで始まり、次の３文字は、ＩＳＯ
６３９−２による言語コードを表し、次の５文字は、対応するプレイリスト番号を表す。前述したように、一つのプレイリストに対応して一つのメタデータファイルが生成される。また、言語コードを利用してタイトルシーン検索時にディスプレイされるメニューで多国語を支援しうる。
【００４２】
図８は、本発明によるメタデータの構造を示す図である。前述したように、一つのメタデータファイル５１０には、複数のシーン５１２が含まれる。図８を参照するに、各シーン５１２には、該当シーンのタイプ、キャラクター、アクターなどの検索キーワードが含まれ、各検索キーワードの値は、ＸＭＬ規則によって検索キーワードの下位エレメントまたは属性で表現しうる。
【００４３】
さらに具体的に、図９は、本発明によるメタデータの詳細構造を示す図である。図９を参照するに、タイトルシーン検索のためのシーン５１２のエレメントの下位には、検索キーワードとしてシーンタイプ、キャラクター、アクター、または製作者が定義した検索キーワードエレメントが含まれる。また、シーン５１２エレメントには、各シーンの開始位置を指定した‘ｅｎｔｒｙ＿ｐｏｉｎｔ（エントリーポイント）’と各シーンの再生が持続される期間を表す‘ｄｕｒａｔｉｏｎ（再生持続期間）’とが含まれ、マルチアングルを支援する場合、特定アングルを指定する‘ａｎｇｌｅ＿ｎｕｍ（アングル番号）’が含まれる。‘ｄｕｒａｔｉｏｎ’や‘ａｎｇｌｅ＿ｎｕｍ’の含有如何は、選択事項である。
【００４４】
以下では、前述したメタデータの構造を利用してタイトルシーン検索機能を提供する応用例を説明する。
【００４５】
図１０は、本発明による拡張検索機能を提供するタイトルの応用範囲を示す図である。
【００４６】
図５に示したように、ブルーレイディスクには、映画のような動画の再生のためのムービータイトルと、ユーザとの相互作用機能を提供するプログラムが含まれたインタラクティブタイトルとが含まれる。本発明によるタイトルシーン検索のためのメタデータは、動画の再生のうち拡張検索機能の提供を目的とするので、ムービータイトルでのみ使われる。ＢＤ−ＲＯＭスペック［２］によって、タイトルの種類は、‘Ｔｉｔｌｅ＿ｐｌａｙｂａｃｋ＿ｔｙｐｅ’フィールドを通じて分かる。このフィールドが０ｂであれば、ムービータイトルであることを表し、このフィールドが１ｂであれば、インタラクティブタイトルであることを表す。したがって、参照するに、‘Ｔｉｔｌｅ＿ｐｌａｙｂａｃｋ＿ｔｙｐｅ’フィールドが０ｂである場合にのみ、本発明によるタイトルシーン検索機能を使用しうる。
【００４７】
図１０を参照するに、ディスクがロードされれば、インデックステーブルを通じてタイトル＃１に接近し、タイトル＃１のムービーオブジェクト＃１に含まれた‘ＰＬＡＹ  ＰｌａｙＬｉｓｔ  ＃１’というナビゲーション命令語が実行されれば、該当プレイリスト＃１が再生される。図示したように、プレイリスト＃１は、一つ以上のプレイアイテムで構成される。製作者によって任意に定義されてユーザに見られるチャプターや本発明によるシーンのような単位は、プレイアイテムの境界と関係なく製作者の任意に分けられる。このようにディスクがロードされれば、インデックステーブルによって自動再生されるプレイリストを主再生経路プレイリストとし、主経路のプレイリストを再生中にボタンオブジェクトによりユーザによって呼び出される、さらに他のムービーオブジェクトによって再生されるプレイリストを副再生経路プレイリストとする。副経路プレイリストは、製作者が定義したチャプターやシーンの範囲に含まれていない。したがって、主再生経路プレイリストの場合にのみ本発明によるタイトルシーン検索機能が活性化され、副経路プレイリストの場合には、タイトルシーン検索機能が活性化されない。
【００４８】
以上の内容を整理すれば、拡張検索機能を提供するタイトルの応用範囲は、次のような制限を有する。
１）タイトルシーン検索は、ムービータイトルにのみ適用される。
２）タイトルシーン検索のためのメタデータは、プレイリスト単位で定義される。一つのムービータイトルには、一つまたは複数のプレイリストが含まれるので、プレイリストに対してメタデータは、一つまたは複数に定義される。
３）タイトルシーン検索は、主再生経路プレイリストにのみ適用され、副再生経路プレイリストには適用されない。
【００４９】
図１１は、本発明によるメタデータを応用した一実施形態である。図１１を参照するに、本発明によるメタデータで使われるシーンの概念が示される。シーンは、タイトルシーン検索のためのメタデータで使用する基本単位であって、プレイリストに含まれたコンテンツを記述する基本単位となる。製作者は、グローバル時間軸上でプレイリストに特定エントリーポイントを指定でき、隣接する二つのエントリーポイント間のコンテンツが一つのシーンとなる。
【００５０】
ユーザが検索キーワードを利用してコンテンツを検索する場合、検索結果は、メタデータの内容が入力された検索キーワードと一致するシーンに含まれたエントリーポイントの集合となる。このようなエントリーポイントは、経時的に順次配列されて再生制御エンジン（再生部ともいう）２００に伝えられる。再生制御エンジン２０は、同じ検索キーワード値を有する複数のシーンを探して再生しうる。
【００５１】
図１１を参照するに、検索結果のエントリーポイントは、各検索キーワードごとに一つの円で表示されている。もし、ユーザがｓｃｅｎｅｔｙｐｅ  ＃１を検索キーワードとして選択した場合、検索結果は、図示したように、ｓｃｅｎｅ  ＃１、ｓｃｅｎｅ  ＃３、及びｓｃｅｎｅ  ＃ｎとなる。ユーザは、これらのうち再生するシーンを選択しうる。また、ユーザインターフェース２４０を通じてＳｋｉｐ  ｔｏ  Ｎｅｘｔ  Ｓｃｅｎｅ（）またはＳｋｉｐ  Ｂａｃｋ  ｔｏ  Ｐｒｅｖｉｏｕｓ  Ｓｃｅｎｅ（）のようなユーザオペレーション（Ｕｓｅｒ  Ｏｐｅｒａｔｉｏｎ：ＵＯと略称する）を利用して、以前または以後の検索結果をナビゲーションして再生することもできる。
【００５２】
図１２は、本発明によるメタデータを応用した他の実施形態である。図１２を参照するに、前述したエントリーポイントに加えて再生持続時間を利用してシーンを定義する応用例が示される。図示したように、エントリーポイントから再生持続期間が経過したポイントまでが、一つのシーンと定義される。ユーザが検索結果のうち特定シーンを選択すれば、次のように３つのシナリオによって検索結果を再生しうる。
【００５３】
１）シナリオ１：単純再生
再生持続期間と関係なく、検索結果のうちユーザが選択したシーンのエントリーポイントから再生し始めて、ユーザから他の入力がない限り、プレイリストの最後まで再生する。例えば、ユーザがｓｃｅｎｅｔｙｐｅ  ＃１を選択した場合、ｓｃｅｎｅ  ＃１のエントリーポイントからプレイリスト＃１の最後まで再生する。
【００５４】
２）シナリオ２：ハイライト再生
検索結果のうちユーザが選択したシーンのエントリーポイントから再生し始めて再生持続期間が経過するまで再生し、次の検索されたシーンにジャンプして再生する。例えば、ユーザがｓｃｅｎｅｔｙｐｅ  ＃２を選択した場合、検索されたｓｃｅｎｅ  ＃１及びｓｃｅｎｅ  ＃３のみを再生する。すなわち、検索キーワードを含むハイライト部分のみを集めて再生しうる。
【００５５】
ハイライト再生のさらに他の例が図１３に示される。図１３を参照するに、検索された一つのシーンを再生した後に停止し、ユーザの入力を待たずに検索された結果を連続的に再生する。すなわち、アクターａについての検索結果のうち、一つのシーンの再生が終われば、直後のシーンを続いて再生することにより、アクターａについてのハイライト部分を集めて再生する効果が得られる。そのようなハイライトを作るために、検索結果は、それぞれについて関連した選択的な再生持続期間と共にエントリーポイントを利用して表現されねばならない。エントリーポイントと選択的な再生持続期間情報とを利用して、結果は連結され、連続的に再生される。
【００５６】
３）シナリオ３：シーン単位再生
検索結果をシーン単位で再生する。すなわち、検索結果のうちユーザが選択したシーンをエントリーポイントから再生持続期間が経過するまで再生し、再生を停止した後にユーザの入力を待つ。これは、一シーンの終了部分で再生を停止するという点を除外すれば、前述したシナリオ２と類似している。
【００５７】
一方、図１４は、本発明によるメタデータを応用してマルチアングルタイトルで拡張検索機能を提供する一例を示す参考図である。図１４を参照するに、マルチアングルで構成されたマルチパスタイトルの例が示される。図示した例で、マルチパスタイトルは、５個のプレイアイテムで構成され、そのうち２番プレイアイテムは、３個のマルチアングルで構成され、４番プレイアイテムは、４個のマルチアングルで構成される。マルチアングルを支援するプレイリストで、検索キーワードｓｃｅｎｅｔｙｐｅ  ＃１に一致するＳｃｅｎｅ  ＃１及びＳｃｅｎｅ  ＃２の２個のシーンと、検索キーワードｓｃｅｎｅｔｙｐｅ  ＃２に一致するＳｃｅｎｅ  ＃３及びＳｃｅｎｅ  ＃３の２個のシーンとが検索されている。各シーンは、エントリーポイント及び再生持続期間と定義されている。
【００５８】
検索されたシーンは、図示したように重なることができる。エントリーポイントが重なる場合は、図５に示したアングル番号によって区分されるためである。一方、エントリーポイントが重ならない場合には、拡張検索結果シーンが重ならない。もし、ユーザが検索結果を前述したシナリオ２）によって再生しようとする場合、再生装置は、図示した図面の点線矢印によって順次に該当シーンを再生する。
【００５９】
図面の下段には、プレイアイテムの一部または複数のプレイアイテムにわたって定義されるシーンが示される。各シーンには、該当シーンを構成するＡＶデータのタイトルシーン検索のためのメタデータが定義される。
【００６０】
一方、マルチアングルを支援するプレイアイテム部分（例えば、２番及び４番プレイアイテムの場合）では、メタデータは、支援される色々なアングルのうち一つのアングルに該当するＡＶデータに対してのみ適用される。例えば、ｓｃｅｎｅ  ＃１の場合を説明すれば、再生区間が１番及び２番プレイアイテムにわたって定義され、アングル番号に３が指定されている。アングル番号に指定した数字は、マルチアングルを支援するプレイアイテム部分にのみ適用され、残りの一般プレイアイテムにわたっている部分は、デフォルトアングルとして再生される。デフォルトアングルは、再生装置の状態レジスターであるＰＳＲ（Ｐｌａｙｅｒ  Ｓｔａｔｕｓ  Ｒｅｇｉｓｔｅｒ）３に指定されている。これにより、１番シーンを再生する場合、一般の１番プレイアイテムにわたる部分では、デフォルトアングルが再生され、マルチアングルである２番プレイアイテムにわたる部分では、アングル番号属性に指定した値によって３番アングルが再生される。このとき、１番シーンに定義されたタイトルシーン検索のための検索キーワードは、マルチアングルである２番プレイアイテムにわたる部分では、３番アングルに対して適用される。前述したように、アングル番号を含むメタデータを利用するためには、マルチアングルタイトルの場合にも指定された検索キーワードによる多様な拡張検索機能を提供しうる。
【００６１】
一方、図１５は、本発明による再生装置の再生状態図である。図１５を参照するに、ムービータイトルを再生しつつ、タイトルシーン検索機能を提供する再生装置の状態図が示されている。まず、ディスクがロードされてムービータイトルの再生が開始されて初めて（１５１０）、タイトルシーン検索機能がＶＡＬＩＤ状態に活性化される（１５２０）。図１４で前述したように、マルチアングルを支援するムービータイトルを再生する場合に、アングルを変更してタイトルシーン検索を行える（１５３０）。また、マルチパスのプレイリストが支援される場合（１５２２）、主再生経路のプレイリストに変更する場合、タイトルシーン検索機能は、ＶＡＬＩＤ状態に活性化されるが（１５３４）、主再生経路のプレイリストに変更する場合、タイトルシーン検索機能は、ＩＮＶＡＬＩＤ状態となる（１５３２）。さらに、ムービータイトルでないインタラクティブタイトルに変更する場合、タイトルシーン検索機能は、ＩＮＶＡＬＩＤ状態となる（１５３８）。
【００６２】
一方、本発明による拡張検索方法は、コンピュータプログラムで作成可能である。前記プログラムを構成するコード及びコードセグメントは、該分野のコンピュータプログラマーによって容易に推論される。また、前記プログラムは、コンピュータで読み取り可能な情報記録媒体に保存され、コンピュータによって読み取られて実行されることにより拡張検索方法を具現する。前記情報記録媒体は、磁気記録媒体、光記録媒体、及びキャリアウェーブ媒体を含む。
【００６３】
以上、本発明についてその望ましい実施形態を中心に説明した。当業者は、本発明が本発明の本質的な特性から逸脱しない範囲で変形された形態で具現されることが理解できる。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。例えば、メタデータが、図５ないし図１５に示した方法でプレイリストに含まれるかぎり、いかなる形態のコンピュータ判読可能媒体またはデータ記録デバイスも利用できる。また、メタデータは、図５に示したものと異なって構成される。また、図２に示した再生装置は、記録装置の一部で具現されるか、または記録媒体に対して記録及び／または再生機能を行う単一装置として具現されることもある。同様に、ＣＰＵは、ファームウェアを有するチップセットまたは選択的に図３、図１０ないし図１５を参照して説明したような方法を行うようにプログラムされた汎用または専用コンピュータで具現される。
【符号の説明】
【００６４】
１００  データ構造
１１０  クリップ
１１２  ＡＶデータストリーム
１１４  クリップ情報
１２０  プレイリスト
１３０  ムービーオブジェクト
１４０  インデックステーブル
２００  再生装置
２１０  読み取り部
２２０  再生部
２３０  検索部
２４０  ユーザインターフェース
２５０  記録媒体
５００  メタデータ
５１０  メタデータファイル
５１２  シーン
【図１】
2010003405.tif 000003
【図２】
2010003405.tif 000004
【図３】
2010003405.tif 000005
【図５】
2010003405.tif 000006
【図６】
2010003405.tif 000007
【図７】
2010003405.tif 000008
【図８】
2010003405.tif 000009
【図９】
2010003405.tif 000010
【図１０】
2010003405.tif 000011
【図１１】
2010003405.tif 000012
【図１２】
2010003405.tif 000013
【図１３】
2010003405.tif 000014
【図１４】
2010003405.tif 000015
【図１５】
2010003405.tif 000016
【図４】
2010003405.tif 000017